(57)【要約】      （修正有）【課題】排出効率の優れた汚物排出装置を提供する。【解決手段】汚物を受ける鉢部１０と、鉢部１０の下部に竪穴状に形成され、水封部２６を構成する旋回流生成部２０と、鉢部１０の内面のうち旋回流生成部２０よりも上方領域の鉢面２１に対し、洗浄水を旋回させるように吐出する吐水口と、旋回流生成部２０の内壁面に形成され、旋回流生成部２０内で生成される旋回流ＷＲを、旋回径が小さくなるように誘導する凸部３０とを備えている。【選択図】図２
2015074877.tif 000002
【特許請求の範囲】
【請求項１】
汚物を受ける鉢部と、
前記鉢部の下部に竪穴状に形成され、水封部を構成する旋回流生成部と、
前記鉢部の内面のうち前記旋回流生成部よりも上方領域の鉢面に対し、洗浄水を旋回させるように吐出する吐水口と、
前記旋回流生成部の内壁面に形成され、前記旋回流生成部内で生成される旋回流を、その旋回径が小さくなるように誘導する凸部とを備えていることを特徴とする汚物排出装置。
【請求項２】
前記旋回流生成部の内壁面のうち前記凸部と対向する領域に形成され、前記凸部側へ張り出した形態であって、上面が前記水封部の最下端に向かって下り傾斜とされた棚部を備えていることを特徴とする請求項１記載の汚物排出装置。
【請求項３】
前記旋回流生成部の内壁面に形成され、前記凸部によって誘導された旋回流の流束を衝突させて跳ね返すことにより、その流束を、平面視における前記旋回流生成部の略中央部に向かうように誘導する跳ね返し面を備えていることを特徴とする請求項１又は請求項２記載の汚物排出装置。
【発明の詳細な説明】
【技術分野】
【０００１】
本発明は、汚物排出装置に関する。
【背景技術】
【０００２】
特許文献１には、鉢部の下端部に、排水路の入口に連なる竪穴状の旋回流生成部を形成し、旋回流生成部内で洗浄水の旋回流を生成することにより、その旋回流に汚物を巻き込んで排水路側へ送り出す汚物排出装置が開示されている。この装置によれば、汚物を旋回流に巻き込むことによって、効果的に汚物を排出することができる。
【先行技術文献】
【特許文献】
【０００３】
【特許文献１】特開２０１１−１５７７３８号公報
【発明の概要】
【発明が解決しようとする課題】
【０００４】
しかし、鉢面から旋回流生成部内に流れ込む単位時間当たりの洗浄水の流量が多いと、旋回流生成部内に一旦引き込まれた汚物が、遠心力によって鉢面に戻ってしまい、排出効率が下がることが懸念される。
本発明は、上記従来の実情に鑑みてなされたものであって、排出効率の向上を図ることを解決すべき課題としている。
【課題を解決するための手段】
【０００５】
本発明の汚物排出装置は、
汚物を受ける鉢部と、
前記鉢部の下部に竪穴状に形成され、水封部を構成する旋回流生成部と、
前記鉢部の内面のうち前記旋回流生成部よりも上方領域の鉢面に対し、洗浄水を旋回させるように吐出する吐水口と、
前記旋回流生成部の内壁面に形成され、前記旋回流生成部内で生成される旋回流を、その旋回径が小さくなるように誘導する凸部とを備えていることを特徴とする。
【発明の効果】
【０００６】
旋回流生成部内では凸部によって旋回流の旋回径が狭められるので、旋回流に乗じて回転する汚物が中央部に集約され、速やかに水封部側へ送り出される。したがって、本発明装置は、排出効率に優れている。
【図面の簡単な説明】
【０００７】
【図１】実施例１の汚物排出装置の平面図
【図２】図１のＡ−Ａ線断面図
【図３】図２のＢ−Ｂ線断面図
【図４】図２のＣ−Ｃ線断面図
【発明を実施するための形態】
【０００８】
（１）本発明の汚物排出装置は、前記旋回流生成部の内壁面のうち前記凸部と対向する領域に形成され、前記凸部側へ張り出した形態であって、上面が前記水封部の最下端に向かって下り傾斜とされた棚部を備えていてもよい。この構成によれば、凸部によって旋回径を狭められた旋回流の流束の一部は、棚部の下り傾斜により水封部の最下端に向かう方向に誘導されるので、排出効率が高められる。
【０００９】
（２）本発明の汚物排出装置は、前記旋回流生成部の内壁面に形成され、前記凸部によって誘導された旋回流の流束を衝突させて跳ね返すことにより、その流束を、平面視における前記旋回流生成部の略中央部に向かうように誘導する跳ね返し面を備えていてもよい。この構成によれば、跳ね返し面で跳ね返された旋回流の流束が、平面視における旋回流生成部の略中央部に誘導されるので、排出効率が高められる。
【００１０】
＜実施例１＞
以下、本発明を具体化した実施例１を図１〜図４を参照して説明する。本実施例の汚物排出装置は、洋風大便器、汚物流し等、汚物を排出する衛生機器として機能するものと定義される。尚、以下の説明において、前後方向に関しては、図１における下側を前側、図１における上側を後側と定義する。また、左右方向に関しては、装置を正面から視た向き、つまり、図１にあらわれる向きをそのまま左側及び右側と定義する。
【００１１】
＜汚物排出装置の概要＞
汚物排出装置は、図２に示すように、上面が開放された形態であって汚物（図示省略）を受ける鉢部１０と、鉢部１０の下端に連なって鉢部１０内の汚物を洗浄水（図示省略）と一緒に排出する排水路２３と、水封部２６とを備えて構成されている。後述するように水封部２６は、鉢部１０の下端部と、排水路２３の上流側端部とを構成している。
【００１２】
図１に示すように、鉢部１０の上面の開口部の平面形状は略方形をなしている。鉢部１０の上面の開口縁部は、前縁部１１と、右側縁部１２Ｒと、左側縁部１２Ｌと、後縁部１３とで構成されている。後縁部１３の左右方向中央部には、給水口１４が形成されている。また、図３に示すように、鉢部１０の開口縁部には、図示しないフラッシュバルブから給水口１４を通して供給された洗浄水を鉢部１０に吐出するためのリム通水路１５が形成されている。
【００１３】
リム通水路１５は、後縁部１３の左右方向中央部に配置されて給水口１４に連通する給水空間１６と、給水空間１６から後縁部１３の右端部（右側縁部１２Ｒの後端部）に至る第１流路１７Ｒと、給水空間１６から後縁部１３の左端部を経由して左側縁部１２Ｌの前後方向略中央部に至る第２流路１７Ｌとによって構成されている。第１流路１７Ｒの前端部（下流端部）は、折り返すように屈曲されていて、その先端が第１吐水口１８Ｒとなっている。第１吐水口１８Ｒは、平面視において反時計回り方向に開口している。第２流路１７Ｌの前端部（下流端部）は第２吐水口１８Ｌとなっている。第２吐水口１８Ｌも、第１吐水口１８Ｒと同様、平面視において反時計回り方向に開口している。
【００１４】
図１，２に示すように、鉢部１０の下端部には、その平面視における略中央部を竪穴状に凹ませた形態の旋回流生成部２０が形成されている。鉢部１０の内面のうち旋回流生成部２０よりも上方の領域は、旋回流生成部２０に向かって下るように傾斜した鉢面２１となっている。第１吐水口１８Ｒと第２吐水口１８Ｌとから吐出された洗浄水は、鉢面２１上で反時計回りに旋回しながら旋回流生成部２０内に流入し、旋回流生成部２０内において反時計回り方向の旋回流ＷＲを生成する。旋回流生成部２０のうち略下半分の領域は、溜水部２２となっている。溜水部２２内でも洗浄水が旋回する。
【００１５】
図２に示すように、排水路２３は、溜水部２２の下流端に連なる上昇路２４と、上昇路２４の下流端に連なる下降路２５とを備えて構成されている。つまり、排水路２３の入口（上流端）は、鉢部１０（旋回流生成部２０）の下端部（下流端）に繋がっている。そして、上昇路２４と溜水部２２とにより、水封部２６が構成されている。水封部２６が水封された状態では、洗浄水が溜水Ｗｓとして溜水部２２と上昇路２４とに貯留される。尚、溜水部２２の上端の高さは、水封時における溜水面Ｓと同じ高さであると規定される。鉢面２１や旋回流生成部２０で受け止められた汚物は、第１吐水口１８Ｒと第２吐水口１８Ｌから吐出された洗浄水に乗じて、鉢面２１上及び旋回流生成部２０内で旋回し、洗浄水とともに水封部２６、排水路２３を通って排出されるようになっている。
【００１６】
＜排出効率を高める手段＞
鉢面２１には、旋回流生成部２０内の旋回流ＷＲの流速（旋回周速度）を高める手段として、段差状に立ち上がる旋回用誘導面２７が形成されている。平面視において鉢面２１のうち旋回用誘導面２７よりも時計回り方向の領域（鉢面２１上における洗浄水の旋回方向上流側の領域）は、旋回用誘導面２７よりも反時計回り方向の領域に対して段差状に低くなっている。旋回用誘導面２７は、鉢面２１の外周縁近くから旋回流生成部２０の開口縁２０Ｅの近傍まで連続しており、旋回流生成部２０の開口縁２０Ｅに対して概ね接線状に繋がるような位置及び向きに延びている。
【００１７】
旋回用誘導面２７の外周側の端部は、第１吐水口１８Ｒから反時計回り方向にずれ、且つ第２吐水口１８Ｌよりも時計回り方向にずれた位置に配置されている。旋回用誘導面２７の内周側の端部は、旋回流生成部２０の開口縁２０Ｅのうち左側縁から前縁に亘る領域に対し、斜め左後方向から斜め右前方向に合流するように配置されている。旋回用誘導面２７は、鉢面２１に沿って旋回する洗浄水を旋回力を付与しながら旋回流生成部２０内に誘導する機能を発揮する。したがって、吐水口１８Ｌ，１８Ｒから鉢面２１に吐出される洗浄水の流速が低くても、旋回用誘導面２７によって旋回流生成部２０内の旋回流ＷＲに十分な旋回力を付与することができる。
【００１８】
また、鉢面２１には、旋回流生成部２０内の旋回流ＷＲに下向き（排水路２３側へ押し込む向き）の力を付与するための手段として、段差状に立ち上がる落下用誘導面２８が形成されている。鉢面２１のうち落下用誘導面２８よりも時計回り方向の領域（鉢面２１上における洗浄水の旋回方向上流側の領域）は、落下用誘導面２８よりも反時計回り方向の領域に比べて段差状に低くなっている。落下用誘導面２８は、鉢面２１の外周縁近くから旋回流生成部２０の開口縁２０Ｅの近傍まで連続して形成されている。落下用誘導面２８の外周側の端部は、第１吐水口１８Ｒから時計回り方向にずれた位置、つまり、旋回流生成部２０よりも右方の位置に配置されている。落下用誘導面２８は、旋回流生成部２０の開口縁２０Ｅのうち右側縁と後縁とが連なる領域に対して交差するように延びており、落下用誘導面２８の内周側の端部は、旋回流生成部２０の開口縁２０Ｅに近傍に位置している。
【００１９】
さらに、鉢面２１から旋回流生成部２０内に流れ込む単位時間当たりの洗浄水の流量が多いと、旋回流生成部２０内に一旦引き込まれた汚物が、遠心力によって鉢面２１に戻ってしまい、排出効率が下がることが懸念される。旋回流生成部２０内の汚物が鉢面２１に戻るのを防止するためには、旋回流生成部２０内で旋回する汚物をできるだけ中央部に集めることが有効であると考えられる。その手段として、図２，４に示すように、旋回流生成部２０の内壁面に凸部３０を形成している。この凸部３０を形成することにより、旋回流生成部２０内で生成される旋回流ＷＲの旋回径（平面視における旋回範囲）を小さくし、汚物が外周側へ拡散するのを抑えるようにしている。
【００２０】
図４に示すように、旋回流生成部２０の内壁面の平面視形状は、左右対称であって前方に向かって尖った形態の略五角形をなしている。この略五角形の内壁面を構成する後壁面３１の左右方向中央部に、凸部３０が形成されている。つまり、凸部３０は、旋回流生成部２０の後端部の１カ所のみに配置されていることになる。そして、凸部３０は、左右対称な形状となっている。凸部３０の平面視形状は、前方へ膨らむように湾曲した形状である。凸部３０の右側面は、旋回流生成部２０内の内壁面の後面領域に沿って左方に流れる旋回流ＷＲの流束ＷＢの向きを、斜め左前方へ転向するように誘導するための転向面３２となっている。
【００２１】
また、図２に示すように、凸部３０の上端は、旋回流生成部２０の上端（開口縁２０Ｅ）と同じ高さである。凸部３０の下端は溜水面Ｓよりも下方に位置し、溜水面Ｓは凸部３０のほぼ中央高さに位置する。凸部３０の側面視形状は、前方へ膨らむように湾曲した形状である。したがって、凸部３０の外面のうち下端側の領域は、斜め下方に面するオーバーハング面３６となっている。
【００２２】
また、図４に示すように、旋回流生成部２０の略五角形の内壁面は、前後方向及び左右方向の両方向に対して斜めをなす左右対称な一対の前壁面を有している。そして、左側の前壁面は第１跳ね返し面３３Ｌ（請求項に記載の跳ね返し面）として機能し、右側の前壁面は第２跳ね返し面３３Ｒ（請求項に記載の跳ね返し面）として機能するようになっている。この両跳ね返し面３３Ｌ，３３Ｒの上下方向における形成範囲は、凸部３０とほぼ同じ形成領域となっている。そして両跳ね返し面３３Ｌ，３３Ｒは、凸部３０によって誘導された旋回流ＷＲの流束ＷＢを衝突させて跳ね返す（つまり、反射させる）ことにより、その流束ＷＢを、平面視における旋回流生成部２０の略中央部に向かうように誘導する。
【００２３】
また、図２，４に示すように、旋回流生成部２０の内壁面には、棚部３４が形成されている。棚部３４は、旋回流生成部２０の略五角形の内壁面を構成する左右両側壁面３５Ｌ，３５Ｒと、第１跳ね返し面３３Ｌと、第２跳ね返し面３３Ｒとから、旋回流生成部２０の平面視中央部に向かって水平方向に張り出した形態である。つまり、旋回流生成部２０の内壁面における棚部３４の形成範囲は、平面視において凸部３０の外面と対向する領域（つまり、凸部３０が形成されている後壁面３１以外の領域）である。換言すると、棚部３４は凸部３０を前方から取り囲むような配置となっている。
【００２４】
棚部３４の上面は、水封部２６の最下端（排水路２３の入口）に向かって下るように傾斜している。また、棚部３４の最上端は、溜水面Ｓよりも下方であり、凸部３０の最下端とほぼ同じ高さに位置している。したがって、棚部３４の上面を延長した仮想傾斜面（図示省略）を想定した場合、その仮想傾斜面の最下端部は、凸部３０のオーバーハング面３６の斜め下前方に近接して位置することになる。棚部３４は、本来、溜水部２２の容積を減らして溜水Ｗｓの貯留量を低減するためのものであるが、棚部３４の上面を排水路２３側に向かって下り傾斜にしたことと、凸部３０のオーバーハング面３６と対向する位置関係とするしたことにより、旋回流生成部２０内の旋回流ＷＲを水封部２６側（排水路２３側）へ誘導する機能を発揮するようになっている。
【００２５】
＜作用及び効果＞
鉢部１０内を洗浄する際には、給水口１４からリム通水路１５に供給した所定量の洗浄水を、第１吐水口１８Ｒと第２吐水口１８Ｌから鉢面２１に吐出させる。第１吐水口１８Ｒから吐出された洗浄水の大部分は、図３に矢線Ｗａで示すように、反時計回り方向に旋回しながら汚物を鉢面２１から除去し、旋回用誘導面２７に衝突して旋回流生成部２０内に誘導され、図２，４に示すように、旋回流生成部２０内で反時計回りの旋回流ＷＲを生成する。第２吐水口１８Ｌから吐出された洗浄水の大部分は、図３に矢線Ｗｂで示すように、反時計回り方向に旋回しながら鉢面２１から汚物を除去し、落下用誘導面２８に衝突して旋回流生成部２０内に誘導され、鉛直方向に近い角度で落下する。
【００２６】
旋回流生成部２０内では、鉢面２１から旋回用誘導面２７に誘導されて流入した洗浄水と汚物が、水封部２６の溜水Ｗｓを巻き込みながら平面視反時計回り方向にの旋回流ＷＲを生成する。図４に示すように、この旋回流ＷＲの流束ＷＢは、旋回流生成部２０の右側面壁３５Ｒに沿って後方へ進み、凸部３０の転向面３２により斜め左前方へ向きを変え、第１跳ね返し面３３Ｌで跳ね返されることにより右方へ向きを変え、第２跳ね返し面３３Ｒで跳ね返されることにより斜め左後方へ向きを変える。第２跳ね返し面３３Ｒで跳ね返された直後の流束ＷＢは、溜水部２２の平面視略中央部に向かう。
【００２７】
このとき、第１跳ね返し面３３Ｌと第２跳ね返し面３３Ｒの近傍下方には、棚部３４の上面が位置している。したがって、第１跳ね返し面３３Ｌで跳ね返された流束ＷＢは、下方へ逃げることなく第２跳ね返し面３３Ｒに向かうことができる。また、第２跳ね返し面３３Ｒで跳ね返された流束ＷＢも、下方へ逃げることなく溜水部２２の平面視中央部に向かうことができる。
【００２８】
このように、凸部３０を形成したことにより、旋回流ＷＲの流束ＷＢは、旋回流生成部２０の後壁面３１のうち凸部３０よりも左側の領域、及び左側壁面３５Ｌから離れた経路を進む。したがって、旋回流生成部２０の内壁面の全周領域に沿って旋回する場合に比べると、本実施例の旋回流ＷＲの旋回径（旋回範囲）は小さくなっている。これにより、旋回流生成部２０内における汚物の旋回範囲も狭められるので、旋回流生成部２０内で旋回する汚物が鉢面２１に戻る虞がない。そして、汚物は、鉢面２１から旋回流生成部２０に流入する洗浄水の下向きの勢いにより、排水路２３側へ押し出されて排出される。
【００２９】
また、本実施例では、旋回流生成部２０内の旋回流ＷＲの流束ＷＢが、第１跳ね返し面３３Ｌと第２跳ね返し面３３Ｒにより、旋回流生成部２０（溜水部２２）の平面視略中央部に向かうように誘導される。これにより、旋回流ＷＲの旋回径を、より効果的に狭めることができる。さらに、旋回流ＷＲは、周縁側よりも中心側の方が早く排水路２３側へ流出するので、両跳ね返し面３３Ｌ，３３Ｒによって流束ＷＢを旋回流生成部２０の中心部に向かわせることは、排出効率を高めることを意味する。したがって、両跳ね返し面３３Ｌ，３３Ｒの誘導作用により、汚物を効果的に排水路２３側へ送り出すことができる。
【００３０】
さらに、旋回流生成部２０の内壁面のうち凸部３０と対向する領域には、上面が水封部２６の最下端及び凸部３０に向かって下り傾斜とされた棚部３４を形成している。また、凸部３０の下端側部分のオーバーハング面３６が、棚部３４の傾斜した上面と対応するように配置されている。これにより、図２に示すように、旋回流生成部２０内の旋回流ＷＲの前端側領域と左右両側縁側領域が、棚部３４によって底上げされるとともに、旋回流ＷＲの後端側領域がオーバーハング面３６によって上から押さえ込まれる。
【００３１】
これにより、旋回流ＷＲの流束ＷＢが描く旋回面は、水平ではなく、後端部が低くなるように傾いた形態となる。この後傾した傾き方は、旋回流生成部２０の下流部（溜水部２２）から排水路２３の入口（水封部２６の最下端）に向かう方向に沿った向きである。そして、凸部３０によって旋回径を狭められた旋回流ＷＲの流束ＷＢの一部は、棚部３４の下り傾斜と凸部３０のオーバーハング面３６により、水封部２６の最下端に向かう方向に誘導され、効率的に排出される。
【００３２】
＜他の実施例＞
本発明は上記記述及び図面によって説明した実施例に限定されるものではなく、例えば次のような実施例も本発明の技術的範囲に含まれる。
（１）上記実施例では、凸部と溜水面との上下方向の位置関係については、溜水面が凸部の略中央部に位置するように設定したが、凸部の上端が溜水面と同じ高さかそれよりも下方に位置するように設定してもよく、凸部の下端が溜水面と同じ高さかそれよりも上方に位置するように設定してもよい。
（２）上記実施例では、凸部を、旋回流生成部の後端部に配置したが、凸部の形成位置は、旋回流生成部の前端部でもよく、旋回流生成部の前後方向における略中央部でもよい。
（３）上記実施例では、凸部と棚部の上下方向に位置関係については、凸部の下端と棚部の最上端とをほぼ同じ高さに設定したが、これに限らず、凸部の下端が棚部の最上端より高くなるような位置関係でもよく、凸部の下端が棚部の最上端や最下端より低くなるような位置関係でもよい。
（４）上記実施例では、凸部の数を１つだけとしたが、複数の凸部を設けてもよい。この場合、複数の凸部の相互間の位置については、互いに周方向に異なる位置関係としてもよく、互いに上下方向に異なる位置関係としてもよい。
（５）上記実施例では、上下方向における棚部と溜水面との位置関係については、棚部の最上端が溜水面よりも下方に位置するように設定したが、これに限らず、棚部の最上端は、溜水面と同じ高さや、溜水面より上方に設定されていてもよい。また、棚部の最下端は、溜水面と同じ高さ、溜水面より上方、溜水面より下方のいずれに設定されていてもよい。
（６）上記実施例では、旋回流生成部の内壁面に、旋回流の流束を平面視における旋回流生成部の略中央部に誘導する跳ね返し面を形成したが、このような跳ね返し面を有しない形態であってもよい。
（７）上記実施例では、旋回流生成部の内壁面に、水封部の最下端に向かって下り傾斜とされた棚部を形成したが、このような棚部を形成しない形態であってもよい。
（８）上記実施例では、リム通水路の形成範囲が、鉢部の外周縁における一部だけであるが、本発明は、リム通水路が鉢部の外周縁の全領域に亘って形成されている場合にも適用できる。この場合、リム通水路は全周に亘って連通した形態でも、２本の経路に分岐した形態のいずれでもよい。
（９）上記実施例では、吐水口の数を２つとしたが、吐水口の開口数は、１つでもよく、３つ以上でもよい。
（１０）上記実施例では、洗浄水をフラッシュバルブから供給したが、洗浄水は、ロータンク等の洗浄タンクから供給されるようにしてもよい。
【符号の説明】
【００３３】
１０…鉢部
１８Ｒ…第１吐水口
１８Ｌ…第２吐水口
２０…旋回流生成部
２１…鉢面
２６…水封部
３０…凸部
３３Ｌ…第１跳ね返し面（跳ね返し面）
３３Ｒ…第２跳ね返し面（跳ね返し面）
３４…棚部
ＷＲ…旋回流
ＷＢ…旋回流の流束
【図１】
2015074877.tif 000003
【図２】
2015074877.tif 000004
【図３】
2015074877.tif 000005
【図４】
2015074877.tif 000006